(57)【要約】【課題】耳当部が、装飾部に対し、強固に接続し得るようなピアス兼用イヤリングの構成を提供すること。【解決手段】耳当部１の上側を平板形状とし、下側を耳と当接する側と反対方向に、順次湾曲した形状とし、該湾曲した形状の領域の一部又は全部を跨る開口部５を、上側部分５１及び下側部分５３を狭幅とし、その中間部分５２を広幅とした状態にて設けているピアス兼用イアリングにおいて、耳当部１の湾曲した側を延設した端部が、装飾部７の裏側に当接していることにより、双方の強固な結合を実現しているピアス兼用イアリング。【選択図】          図１
2005000527.tif 000002
【特許請求の範囲】
【請求項１】
装飾部の上部に耳の表面に当接される板状の耳当部を設け、装飾部の下部に、耳の裏側から、該耳当部に対応する位置において、弾性的に当接し得る接合部を、上方向への弾性力を以って回転自在に設け、耳当部の上側を平板形状とし、下側を耳と当接する側と反対方向に、順次湾曲した形状とし、該湾曲した形状の領域の一部又は全部を跨る開口部を、上側部分及び下側部分を狭幅とし、その中間部分を広幅とした状態にて設け、該開口部の後部に、ピアス用のピンを該開口部を挿通した状態にて回転自在に取り付け、かつ該ピンが上方に回転してきた接合部に挿貫可能であると共に、該ピンは、開口部の狭幅の上側部分の端部に接触した場合には、耳当部に対し耳の表方向から裏方向にかけて交差するように設計し、かつピンを下方に向けた状態の場合には、ピンが狭幅の下側部分を挿通するように設計しているピアス兼用イアリングにおいて、耳当部の湾曲した側を延設した端部が、装飾部の裏側に当接していることに基づくピアス兼用イアリング。
【請求項２】
ピンを開口部の下側部分の端部にまで移動した場合、当該ピンが耳当部の耳と当接する面の方向を基準として、当接する側と反対方向を向くような位置に該端部の位置を延設していることを特徴とする請求項１記載のピアス兼用イアリング。
【発明の詳細な説明】
【０００１】
【引用公報】
引用した公報は、以下の通りである。
特開２００１−１６１４１２号公報。
【発明の属する技術分野】
本発明は、ピアスとイアリングとの双方に使用できる耳飾りに関するものである。
【０００２】
【従来の技術】
前記ピアス兼用イアリングとして、出願人は既に図３（ａ）、（ｂ）の斜視図及び図４（ａ）、（ｂ）の側面図に示すように、装飾部７の上部に耳の表面９に当接される板状の耳当部１を設け、装飾部７の下部に、耳の裏側から、該耳当部１に対応する位置において、弾性的に当接し得る接合部６を、上方向への弾性力を以って回転自在に設け、耳当部１の上側を平板形状とし、下側を耳と当接する側と反対方向に、順次湾曲した形状とし、該湾曲した形状の領域の一部又は全部を跨る開口部５を、上側部分５１及び下側部分５３を狭幅とし、その中間部分５２を広幅とした状態にて設け、該開口部５の後部に、ピアス用のピン３を該開口部５を挿通した状態にて回転自在に取り付け、かつ該ピン３が上方に回転してきた接合部６に挿貫可能であると共に、該ピン３は、開口部５の狭幅の上側部分５１の端部に接触した場合、耳当部１に対し耳の表方向から裏方向にかけて略直角方向をなすように設計し、かつピン３を下方に向けた状態においては、ピン３が狭幅の下側部分５３を挿通するように設計しているピアス兼用イアリングの構成を提唱し（特開２００１−１６１４１２号公報）、当該構成は既に特許を受けるに至っている（特許第３３５９６０３号）。
尚、図４（ａ）、（ｂ）の側面図では、ピン３が下側部分５３を通過した場合に、耳当部１が耳に当接する側の面を概略平行となるような状態が記載されているが、ピン３が下側部分５３を挿通した場合の状態は、上記図４（ａ）、（ｂ）に示すような状態に限定される訳ではない。
【０００３】
前記出願が提唱した従来技術においては、図４（ａ）、（ｂ）に示すように、耳当部１の湾曲した側を延設した端部が装飾部７の裏側に当接していない場合をも包摂している。
【０００４】
しかしながら、耳当部１の前記端部と、装飾部７の裏側とを離した状態としなければならない必然性は存在せず、却って離した状態では、耳当部１と装飾部７とが、頂部の１箇所にて接続されているに過ぎないため、双方の接続関係は脆弱であり、アクシデントによって分離し易いという欠点を免れることができない。
【０００５】
【発明が解決しようとする課題】
本発明は、前記出願人が提唱した前記従来技術において、耳当部と装飾部との強固な結合を可能とするピアス兼用イアリングの構成を提供することを目的としている。
【０００６】
【課題を解決するための手段】
前記課題を解決するため、本発明の構成は、装飾部の上部に耳の表面に当接される板状の耳当部を設け、装飾部の下部に、耳の裏側から、該耳当部に対応する位置において、弾性的に当接し得る接合部を、上方向への弾性力を以って回転自在に設け、耳当部の上側を平板形状とし、下側を耳と当接する側と反対方向に、順次湾曲した形状とし、該湾曲した形状の領域の一部又は全部を跨る開口部を、上側部分及び下側部分を狭幅とし、その中間部分を広幅とした状態にて設け、該開口部の後部に、ピアス用のピンを該開口部を挿通した状態にて回転自在に取り付け、かつ該ピンが上方に回転してきた接合部に挿貫可能であると共に、該ピンは、開口部の狭幅の上側部分の端部に接触した場合には、耳当部に対し耳の表方向から裏方向にかけて交差するように設計し、かつピンを下方に向けた状態の場合には、ピンが狭幅の下側部分を挿通するように設計しているピアス兼用イアリングにおいて、耳当部の湾曲した側を延設した端部が、装飾部の裏側に当接していることに基づくピアス兼用イアリングからなる。
【０００７】
【作用】
本発明においては、図１に示すように、耳当部１の湾曲した側を延設した端部が装飾部７の裏側に当接した状態となっている。
【０００８】
前記当接状態としては、単に接触している状態、溶接した状態、又はロー付けした状態の何れをも採用することができる。
【０００９】
このように、前記当接によって、耳当部１は、装飾部７によって、２箇所において接合していることによって、強固な接合関係を得ることができ、図４（ａ）、（ｂ）のように、頂部における１箇所の接合状態の場合よりも、アクシデントによって双方が分離されるような確率を十分僅少させることができる。
【００１０】
前記当接状態として、単に接合させた場合には、工作は容易であるが、溶接又はロー付けによる設計に比し、装飾部７との結合力がやや弱いという技術上の難点が存在する。但し、単なる接合の場合においても、接合によって頂部における曲げ作用に対する抗力が発生し、図４（ａ）、（ｂ）に示すような曲げ作用による疲労を減少させることが可能である。
【００１１】
本発明は、前記出願人が提唱した従来技術による構成態様の選択発明に該当しているが、その余の作用は、上記構成態様と同一である。即ち、本願発明においても、図４（ａ）、（ｂ）に示すように、接合部６を耳の上側から耳当部１に対応する位置において、弾性的に当接した状態とし、ピン３を耳当部１に対し、略直角方向をなすように設定した場合（点線によって示す）には、本発明の器具は、ピアスとして使用することができ、ピン３を下方に向けた状態に設定した場合（実線によって示す）には、本発明の器具は、イアリングとして使用することができる（尚、前記従来技術では、ピアスとして使用する場合には、図４（ａ）、（ｂ）に示すように、ピン３は、耳当部１に対し、略直角方向をなすように設計されているが、本発明では、このような状態に限定されている訳ではない。）。
【００１２】
本発明においても、耳当部１が耳に当接する表面と反対側に順次湾曲する形状を採用しているため、接合部６の弾性力を以って、耳当部１を耳表面９に当接した場合においても、図５に示すように、耳当部１に当接した部分とそうでない部分の耳表面９の変化は急激ではなく、なだらかに変化し、このため、本発明の場合には、ピアス又はイアリングとして快適な装着を実現することができる。
【００１３】
本発明においても、図３（ａ）、（ｂ）に示すように、開口部５につき、上側部分５１及び下側部分５３を狭幅とし、その中間部分５２を広幅に設計した構成を採用している。
【００１４】
このような構成の採用により、ピン３を、耳当部１の裏側に軸受部２を介してピン３を装着する場合には、ピン３を耳当部１の表側（前側）から開口部５を介して裏側（後側）に挿貫し、更にピン回転軸４を耳当部１の裏側に位置しているピンの軸受部２に装着させる工程を必要とするが、図３（ａ）、（ｂ）に示すように、開口部の中間部分５２を広幅に設計しているので、前記挿貫が極めて容易となり、工作上、極めて好都合である。
【００１５】
以下、実施例に従って説明する。
【００１６】
【実施例】
実施例は、図２に示すように、ピン３を開口部の下側部分５３の端部にまで移動した場合、当該ピン３が耳当部１の耳と当接する面９の方向を基準として、当接する側と反対方向を向くような位置に該端部の位置を延設していることを特徴としている。
【００１７】
このような実施例の構成においては、イアリングとして使用する際、ピン３は耳当部１が耳と当接する平面方向を基準とした場合、耳と反対側にピン３が位置することになるので、ピン３の先端が耳に接触するというアクシデントを確実に防止することができ、安全な状態にてイアリングとしての使用を実現することができる。
【００１８】
本願発明においては、耳当部１の湾曲した側を装飾部７の裏側に当接するに至るまで延設しているので、前記下側部分５３の端部を耳当部１の裏側（後側）に配置させることが十分可能であり、前記実施例の構成を容易に採用することができる。
【００１９】
【発明の効果】
以上による本願発明においては、耳当部を装飾部に対し強固に接続させるという基本的な効果を発揮することができる。
【００２０】
更に、ピンの先端が耳に接触するというアクシデントを確実に防止することができる前記実施例の構成を容易に実現することも可能となる。
【００２１】
このように、本願発明は多面的な効果を有しており、その価値は絶大である。
【００２２】
【図面の簡単な説明】
【図１】本願発明の基本構成を示す側面図である。
【図２】実施例の構成を示す側面図である。
【図３】出願人が提唱した従来技術の耳当部の構成を示す斜視図であり、（ａ）は、上側部分及び下側部分につき、略同一幅による設計を行っている場合を示し、（ｂ）は、上側部分及び下側部分につき、各端部にピンが余裕を以って挿通し得るだけの幅を有し、端部以外の中途部位につき、ピンの径と同程度か、又はやや大きい程度に設計した場合を示している。
【図４】本発明及び出願人が提唱した従来技術において、接続部及びピンの移動状況を示す側面図であり、（ａ）は、下側の湾曲部分が、ピンの軸受部を下方の両側において支えるまでに至っていない状態を示しており、（ｂ）は、下側の湾曲部がピンの軸受部を下方の両側において支えるに至った状態を示している。
【図５】耳当部を耳表面に当接した場合の断面図である。
【符号の説明】
１  耳当部
２  ピンの軸受部
３  ピン
４  ピン回転軸
５  開口部
５１  開口部の上側部分
５２  開口部の中間部分
５３  開口部の下側部分
６  接合部
７  装飾部
７１  装飾部の軸受部
９  耳当部によって当接される耳表面及びその近傍
【図１】
2005000527.tif 000003
【図２】
2005000527.tif 000004
【図３】
2005000527.tif 000005
【図４】
2005000527.tif 000006
【図５】
2005000527.tif 000007